(57)【要約】【課題】  使用時に移動フードが破損し難く耐久性に優れたリールシートを提供する。  【解決手段】  このリールシート２は元竿１の周面に配置されており、リールＲを装着する部分である。そして、リールシート２は、リールＲの脚部を載置する載置面１０，載置面１０の軸長方向端部に形成された載置面１０側に向かって開口する固定フード１２，載置面１０の幅方向両縁に軸長方向に延びて形成された１対のレール溝１３を有する略パイプ状の本体部３と、固定フード１２に対向して開口するフード部分１５及びフード部分１５と共に本体部３を周方向に覆うカバー部分１６を有し本体部３の周面を軸長方向にスライド移動自在な移動フード部４とを有する。さらに、レール溝１３に幅方向両端が噛み合いつつ移動フード部４に連結されており移動フード部４を任意の軸長方向位置で位置決めするための位置決め部５を備える。【選択図】  図１
2005245382.tif 000002
【特許請求の範囲】
【請求項１】
竿体の周面に配置されリールの脚部を取り付けるためのリールシートであって、
前記リールの脚部を載置する載置面，前記載置面の軸長方向端部に形成された前記載置面側に向かって開口する固定フード，前記載置面の幅方向両縁に軸長方向に延びて形成された１対のレール溝を有し前記竿体の周面に固定される略パイプ状の本体部と、
前記固定フードに対向して開口するフード部分，及び前記フード部分と共に前記本体部を周方向に覆うカバー部分を有し前記本体部の周面を軸長方向にスライド移動自在な移動フード部と、
前記レール溝に幅方向両端が噛み合いつつ前記移動フード部に連結されており前記移動フード部を任意の軸長方向位置で位置決めするための位置決め部と
を備えたリールシート。
【請求項２】
前記移動フード部は、前記本体部の載置面と周方向の反対面側において前記本体部の周面に沿って前記カバー部分より軸長方向に延びる延伸部分をさらに有し、前記延伸部分の周面にはグリップ部分が設けられている、請求項１に記載のリールシート。
【請求項３】
前記グリップ部分は、前記延伸部分の周面に貼り付けられた滑り止めシート材からなる、請求項２に記載のリールシート。
【請求項４】
前記滑り止めシートには軸長方向に間隔を隔てて複数の孔が形成されている、請求項３に記載のリールシート。
【請求項５】
前記グリップ部分は、前記延伸部分の周面に貼り付けられたゴム材からなる、請求項２に記載のリールシート。
【発明の詳細な説明】
【技術分野】
【０００１】
本発明は、本発明は魚釣りに用いる釣竿のリールシートに関する。
【背景技術】
【０００２】
釣竿には、リールを脱着自在に竿体に装着するためのリールシートが取り付けられているものがある。この種の釣竿では、リールシートにリールの脚部を取り付けて、リールからの釣糸を釣糸ガイドで穂先側に案内し、釣りをおこなうことになる。このリールシートには種々のタイプがある。その中で、近時において多く見られるリールシートは、竿体の管状体である竿本体とは別個にパイプ状の成型品からなるリールシートを準備し、これを竿体の所定の位置においてその周面に固定するタイプのものである。
【０００３】
一般に、このタイプのリールシートでは、パイプ状の成型品からなるリールシート本体のリール載置面の幅方向両縁に軸長方向に延びるレール溝（摺動溝）が形成されている。さらに、載置面の一端には固定フードが形成されており、レール溝には移動フードがスライド移動自在に取り付けられている。詳しくは、移動フードの幅方向両端が折り返されてフック状に加工され、この部分がレール溝に噛み合っている（例えば、特許文献１や特許文献２等参照）。
【０００４】
このようなリールシートでは、ユーザはリールの脚部を載置面に載置しつつ脚部の一端を固定フードに差し込み、移動フードをスライド移動させて脚部の他端を覆い、移動フードを位置決めして、リールの脚部を載置面上に固定することになる。
【０００５】
しかし、上述のように、移動フードはリールの脚部の他端を覆う部分であり、リール操作の際にリールからの力を直接受ける部分である。即ち、リール操作の際にはリールの脚部にはその幅方向にも大きな力が加わる。このため、リールの脚部を抑えている移動フードにも大きな力が加わり、移動フードのレール溝と噛み合っている部分が変形してしまい、移動フードがレール溝から逸脱してしまう恐れもある。
【特許文献１】特開平05-91830号公報
【特許文献２】特開2002-165536号公報
【発明の開示】
【発明が解決しようとする課題】
【０００６】
本発明は、使用時に移動フードが破損し難く耐久性に優れたリールシートを提供するものである。
【課題を解決するための手段】
【０００７】
本発明のリールシートは、竿体の周面に配置されリールの脚部を取り付けるためのリールシートであって、リールの脚部を載置する載置面，載置面の軸長方向端部に形成された載置面側に向かって開口する固定フード，載置面の幅方向両縁に軸長方向に延びて形成された１対のレール溝を有し竿体の周面に固定される略パイプ状の本体部と、固定フードに対向して開口するフード部分，及びフード部分と共に本体部を周方向に覆うカバー部分を有し本体部の周面を軸長方向にスライド移動自在な移動フード部と、レール溝に幅方向両端が噛み合いつつ移動フード部に連結されており移動フード部を任意の軸長方向位置で位置決めするための位置決め部とを備える。
【０００８】
このリールシートの使用手法は、リールの脚部を載置面に載置し、脚部の一端を固定フードに差し込み、移動フード部をスライド移動させて脚部の他端を覆い、位置決め部で移動フード部を固定して、リールを取り付ける、というものである。リールをリールシートに取り付けてリール操作等を行う際には、リールの脚部に発生する大きな力がリールの脚部を抑えている移動フード部、特にフード部分にも加わる。このフード部分はカバー部分により覆われており、それ自体はこのカバー部分により本体部に対して軸長方向にスライド移動自在となっている。このため、幅方向に大きな力が加わっても、移動フード部は破損し難くなっている。
【０００９】
別のリールシートにおいては、その移動フード部は、本体部の載置面と周方向の反対面側において本体部の周面に沿ってカバー部分より軸長方向に延びる延伸部分をさらに有し、この延伸部分の周面にはグリップ部分が設けられる。
【００１０】
釣人は一般にリールシート付近を一方の手で把持し、他方の手でリール操作を行う。この延伸部分にグリップ部分を設けることで、このリールシートはそのグリップ力が向上し操作性に優れたものとなる。また、取り付けられているリールの脚部に移動フード部は合わせて軸長方向にスライド移動しており、グリップ部分もリールの脚部に合わせて軸長方向に移動することになる。このため、個々のリールに合わせてグリップ部分が移動し、個々のリールに合致したグリップ感が演出されることになる。
【００１１】
例えば、グリップ部分は、延伸部分の周面に貼り付けられた滑り止めシート材からなる。特に、滑り止めシートには軸長方向に間隔を隔てて複数の孔を形成してもよい。グリップ時の滑り止め効果が向上する。若しくは、グリップ部分は、延伸部分の周面に貼り付けられたゴム材から構成してもよい。
【発明の効果】
【００１２】
本発明のリールシートでは、移動フード部が破損し難く耐久性に優れる。また、リールシート付近のグリップ感を向上させることも可能である。
【発明を実施するための最良の形態】
【００１３】
［第１実施形態］
以下、本発明の実施形態について図面を参照しつつ説明する。
【００１４】
図１及び図２に、本発明の１つの実施形態を採用した釣竿の元竿１に装着されたリールシート２を示す。釣竿は、複数の竿体を振出形式若しくは並継ぎ形式に連結したものである。各竿体は強化繊維に合成樹脂を含浸させた繊維強化樹脂素材を焼成してなる先細りテーパの施された筒状体である。このような竿体の中でもっとも竿元側に位置する太径の竿体が元竿１である。元竿１には、竿元側端部に尻栓が脱着自在に取り付けられ、釣人が把持するためのグリップが必要に応じてその周面に取り付けられ、さらに、リールシート２が周面に取り付けられている。
【００１５】
リールシート２は、本体部３と、移動フード部４と、ロック部５を備えている。
本体部３は、硬質合成樹脂，金属等から構成される部材である。本体部３は、元竿１が貫通しその周面を覆うような略パイプ状のものである。本体部３は元竿１の周面の所定の軸方向位置に配置され接着剤などにより固定されている。この本体部３には平面部分が周方向の一部において形成されており、ここが載置面１０である。この本体部３においては、載置面は穂先側部分と竿元側部分との２つに別れている。載置面１０の竿元側部分にあっては、その幅方向中央付近に凹部分が形成されている。この凹部分は軸長方向に延びており、この中に金属板１１が収納されている。そして、この金属板１１にはその幅方向に延びる凹溝が軸長方向に配列されることで、凹凸が形成されている。
【００１６】
他方、載置面１０の穂先側部分には固定フード１２が形成されている。固定フード１２は竿元側方向に開口したフード状の部分でありこの中にリールＲの脚部の一端が挿入されることになる。さらに、本体部３の載置面１０の竿元側の幅方向両縁には軸長方向に延びる１対のレール溝１３が形成される。即ち、載置面１０の幅方向両縁はそれぞれ庇状に幅方向に広がっており、載置面１０の幅方向両縁の下側には幅方向に凹入するレール溝１３が構成される。このレール溝１３が載置面１０の幅方向両縁に沿って軸長方向に延びている。
【００１７】
移動フード部４は、固定フード１２に対向して開口するフード部分１５と、フード部分１５と共に本体部３を周方向に覆うカバー部分１６を有している。フード部分１５は、例えば、プラスチック等をフード状に加工したものであり、リールＲの脚部の他端を覆う部分である。カバー部分１６は金属板（ステンレス，チタン，スチール等）を折り曲げ加工して形成されている。カバー部分１６は、上述のフード部分１５を覆いながら、本体部３を周方向全体にわたって覆う帯状の部分である。このように、本体部３の周面を帯状に覆いながら、カバー部分１６はフード部分１５と共に、本体部３の周面を軸長方向にスライド移動可能となっている。
【００１８】
ロック部５は、幅方向に回動軸が位置する回動部分５ａと軸受け部分５ｂとからなる。また、軸受け部分５ｂの竿元側にはプラスチック製のパーツ５ｃを取り付けても良い。パーツ５ｃは穂先側にロック部５を押し出す際に、ユーザが指を押し当てる部位である。回動部分５ａの回動軸付近には爪が直接形成され若しくは別途連結される。軸受け部分５ｂは、その幅方向両端側が折り曲げられて上述のレール溝１３に噛み合っており、さらに、上述の移動フード部４に連結されている。このロック部５の回動部分５ａを平伏させると爪が上述の金属板１１の凹凸に引っ掛かり、ロック部５を介して、移動フード部４も軸長方向において位置決めされる。また、ロック部５の回動部分を起立させると爪の金属板１１の凹凸への引っ掛かりが解除され、移動フード部４もロック部５と共に軸長方向に移動できる。
【００１９】
このリールシートの使用手法は、図１に示すように、リールＲの脚部を載置面１０に載置し、その脚部の一端を固定フード１２に差し込み、移動フード部４をスライド移動させて脚部の他端を覆い、ロック部５で移動フード部４を固定して、リールＲをリールシート上に固定する。リールＲをリールシートに取り付けてリール操作等を行う際には、リールＲの脚部に発生する大きな力がリールＲの脚部を抑えている移動フード部４、特にそのフード部分１５にも加わる。
【００２０】
このフード部分１５はカバー部分１６により覆われており、幅方向に大きな力が加わっても、カバー部分１６がフード部分１５の破損を防止している。また、フード部分１５が直接レール溝１３に噛み合っているものではなく、レール溝１３からフード部分１５が外れてしまうこともない。
【００２１】
［第２実施形態］
以下、第２実施形態に係るリールシート２２を、図３及び図４を参酌しつつ説明する。
【００２２】
このリールシート２２も、第１実施形態と同様にして、元竿の周面に取り付けられたものである。そして、このリールシート２２も、本体部２３と、移動フード部２４と、ロック部２５を備えている。本体部２３及びロック部２５は上記第１実施形態と同様のものであり、説明を省略する。
【００２３】
移動フード部２４は、上記第１実施形態と同様に、固定フードに対向して開口するフード部分３５と、フード部分３５と共に本体部２３を周方向に覆うカバー部分３６とを有している。フード部分３５は、上記第１実施形態と同様である。カバー部分３６は金属板（ステンレス，チタン，スチール等）を折り曲げ加工して形成されている。カバー部分３６は、上述のフード部分３５を覆いながら、本体部２３を周方向全体にわたって覆う帯状の部分である。そして、さらにカバー部分３６には延伸部分３７が一体的に形成されている。この延伸部分３７は、本体部２３の載置面と周方向の反対面側において、本体部２３の周面に沿って幅方向においては湾曲しつつ、カバー部分３６より穂先側に延びる部分である。そして、この延伸部分３７の周面には、ゴムグリップ３８が貼り付けられている。
【００２４】
ゴムグリップ３８は、延伸部分３７の周面より盛り上がるゴム部材（例えば、ウレタンゴム等）であり、軸長方向においてその盛り上がり高さに変化を付けている。このゴムグリップ３８では、その穂先側の先端を最も高く、これに隣接する竿元側の部位を低く形成し、ユーザの指を当てやすいように配慮している。
【００２５】
このリールシートの使用手法も、上記第１実施形態と同様であり、移動フード部２４の耐久性が向上している。
【００２６】
さらに、釣人は一般にリールシート付近を一方の手で把持し、他方の手でリール操作を行う。このリールシートでは、延伸部分３７にゴムグリップ３８を設けているので、ユーザはリールシート付近を把持する際に、ゴムグリップ３８を利用でき、グリップ力が向上し操作性に優れたものとなる。さらに、取り付けられているリールＲの脚部に移動フード部２４は合わせて軸長方向にスライド移動しており、ゴムグリップ３８もリールＲの脚部に合わせて軸長方向に移動している。このため、個々のリールＲに合わせてゴムグリップ３８が軸長方向において移動し、個々のリールＲに合致したグリップ感が演出される。
【００２７】
［第３実施形態］
以下、さらに第３実施形態に係るリールシート４２を、図５及び図６を参酌しつつ説明する。
【００２８】
このリールシート４２も、第１実施形態と同様にして、元竿の周面に取り付けられたものである。そして、このリールシート４２も、本体部４３と、移動フード部４４と、ロック部４５を備えている。また、本体部４３及びロック部４５は上記第１実施形態と同様のものであり、説明を省略する。
【００２９】
移動フード部４４は、上記第１実施形態と同様に、固定フードに対向して開口するフード部分５５と、フード部分５５と共に本体部４３を周方向に覆うカバー部分５６とを有している。フード部分５５は、上記第１実施形態と同様である。カバー部分５６は金属板（ステンレス，チタン，スチール等）を折り曲げ加工して形成されている。カバー部分５６は、上述のフード部分５５を覆いながら、本体部４３を周方向全体にわたって覆う帯状の部分である。そして、さらにカバー部分５６には延伸部分５７が一体的に形成されている。この延伸部分５７は、上記第２実施形態と同様に、本体部４３の載置面と周方向の反対面側において、本体部４３の周面に沿って幅方向においては湾曲しつつ、カバー部分５６より穂先側に延びる部分である。そして、この延伸部分５７の周面には、グリップシート５８が貼り付けられている。
【００３０】
グリップシート５８は、延伸部分５７の周面に貼り付けられた、本体部４３の軸長方向を長径方向とする略楕円板状の部材である。グリップシート３８は、例えば、フェルトなどから形成される。そして、その長径方向に並んで複数の孔を形成してもよい。
【００３１】
このリールシートの使用手法も、上記第１実施形態と同様であり、移動フード部４４の耐久性が向上している。さらにまた、第２実施形態と同様に、グリップ力が向上されている。
［他の実施形態］
（ａ）上記各実施形態では、固定フードを穂先側に配置したリールシートを示しているが、固定フードと移動フード部との位置は交換可能である。
【図面の簡単な説明】
【００３２】
【図１】本発明の第１実施形態に係るリールシート２を示した図。
【図２】図１のリールシート２の上面図。
【図３】本発明の第２実施形態に係るリールシート２２を示した図。
【図４】図３のIV-IV断面図。
【図５】本発明の第３実施形態に係るリールシート４２を示した図。
【図６】図５のリールシートの下面図。
【符号の説明】
【００３３】
１  元竿（竿体）
２，２２，４２  リールシート
３，２３，４３  本体部
４，２４，４４  移動フード部
１５，３５，５５  フード部分
１６，３６，５６  カバー部分
３７，５７  延伸部分
３８  グリップゴム
５８  グリップシート
【図１】
2005245382.tif 000003
【図２】
2005245382.tif 000004
【図３】
2005245382.tif 000005
【図４】
2005245382.tif 000006
【図５】
2005245382.tif 000007
【図６】
2005245382.tif 000008